(57)【要約】【課題】ペットにストレスを与えず、その皮膚、被毛にダメージを与えないようにして、被毛の水分を取り除き乾燥させる。【解決手段】吸水性のパッドを被毛に接触させて、被毛の水分をこのパッドに毛細管現象で吸水させ、一部分に穴またはスリットもしくは網目構造が形成されたヘッド本体の穴またはスリットもしくは網目構造が形成された部分にこのパッド裏面を接するように構成して、このヘッド本体の内側を負圧にしてパッドの水分をヘッドへ吸い取る。【選択図】図１
2019088215.tif 000002
【特許請求の範囲】
【請求項１】
被毛の水分を除く機能を有するペット用ドライヤにおいて、主表面が被毛と接触するパッドと、一部分に穴またはスリットもしくは網目構造が形成されたヘッド本体とを有し、この穴またはスリットもしくは網目構造が形成された部分にこのパッドの裏面が接しており、このヘッド本体の内側を負圧にすることを特徴とするペット用ドライヤ。
【請求項２】
被毛の水分を除く機能を有するペット用ドライヤにおいて、主表面が被毛と接触するパッドと、一部分に穴またはスリットもしくは網目構造が形成されたヘッド本体とを有し、この穴またはスリットもしくは網目構造が形成された部分にこのパッドの裏面が接しており、このヘッド本体の内側を負圧にする第１の機能と、ヘッド本体に正圧の空気を送る第２の機能と、第１の機能と第２の機能とを切り替える切り替え機能を備えることを特徴とするペット用ドライヤ。
【請求項３】
ヘッド本体に正圧の空気を送る第２の機能に除湿器が接続されていることを特徴とする請求項２記載のペット用ドライヤ。
【請求項４】
ヘッド本体の少なくとも一部分が可撓性物質で構成されていることを特徴とする請求項１または２記載のペット用ドライヤ。
【請求項５】
ヘッド本体が複数の部分に分割されていることを特徴とする請求項１または２記載のペット用ドライヤ。
【請求項６】
ヘッド本体にホースの一端が接続され、このホースの他端に内側を負圧にした水分離部が接続されていることを特徴とする請求項１または２記載のペット用ドライヤ。
【請求項７】
水分離部に吸引装置が接続されていることを特徴とする請求項６記載のペット用ドライヤ。
【請求項８】
吸引装置に消音機能が設けられていることを特徴とする請求項７記載のペット用ドライヤ。
【請求項９】
水分離部に排水機能が設けられていることを特徴とする請求項６記載のペット用ドライヤ。
【請求項１０】
ヘッド本体が導電性物質を含んで構成されていることを特徴とする請求項１または２記載のペット用ドライヤ。
【請求項１１】
ヘッド本体に手袋が取り付けられていることを特徴とする請求項４または５記載のペット用ドライヤ。
【請求項１２】
水分離部がトルネード型の水分離モジュールを含んで構成されることを特徴とする請求項６記載のペット用ドライヤ。
【請求項１３】
水分離部の吸引装置接続部に水分検出機能が設置されていることを特徴とする請求項７記載のペット用ドライヤ。
【請求項１４】
パッドが布または不織布を含んで構成されていることを特徴とする請求項１または２記載のペット用ドライヤ。
【発明の詳細な説明】
【技術分野】
【０００１】
本発明は、ペットとペットの被毛や皮膚に与えるストレスの低減を図ったペット用ドライヤに関する。
【背景技術】
【０００２】
ペット用ドライヤは、人間の毛髪用に開発された、温風を吹き出すタイプのドライヤ技術が応用されたものが広く用いられている。これは、吹き出し口から温風を吹き出すために、使い方によってはペットに温やけどをさせてしまう危険があり、例えば人間の皮膚より敏感な犬の皮膚などには、やけどに至らない場合であっても少なからずダメージがある。
従来、このような熱の問題を解決するドライヤとして、温度の低い温風を高速で大量に吹き出して被毛に含まれる水分を吹き飛ばしながら乾燥させる構造のドライヤが考案されている。このタイプのドライヤは、温やけどの危険性は無いが、乾燥時間が長いので、ペットに精神的なストレスを与えることがある。さらに、吹き飛ばされた水滴と抜け落ちた被毛で、室内が汚れてしまう欠点がある。
【０００３】
以下、図８により従来のペット用ドライヤについて説明する。図において、８１はドライヤ本体、８２は吹き出す空気を暖めるヒータ、８３は送風用ファン、８４はファンを回転させるモータ、８５はハンドル、８６はヒータおよびモータをオンオフするためのスイッチである。
【０００４】
温度の低い温風を高速で大量に吹き出して被毛に含まれる水分を吹き飛ばしながら乾燥させる構造のドライヤでは、８２のヒータが省略されており、８４のモータに強力なモータが用いられている。強力なモータは、発熱も多いので、ヒータが無くても吹き出す空気はわずかに昇温される。
【先行技術文献】
【特許文献】
【０００５】
【特許文献１】登録実用新案公報  第３０６３６８２号
【０００６】
【特許文献２】登録実用新案公報  第３１４２６２４号
【発明の概要】
【発明が解決しようとする課題】
【０００７】
以上に述べた従来のペット用ドライヤでは、熱の問題でペットの被毛や皮膚にストレスを与えたり、乾燥時間が長いのでペットに精神的なストレスを与える問題があった。このような問題を解決するドライヤとして、３５℃以下の温風を大量に吹き出すタイプのドライヤが考案された。このようなドライヤは、熱による被毛や皮膚のダメージがないが、温風の温度が低いので長い乾燥時間を要する。さらに大きな風の音がするので、長い時間と相まってペットに大きな精神的ストレスを与える。水滴や抜け毛が周辺に飛び散るので、あとの掃除が大変である。そこで、これらの問題を解決するために、吸引タイプのドライヤが考案された。これは、濡れた被毛の水分を掃除機で吸い取るような構造であるが、毛細管現象で被毛の間にしっかりと蓄えられた水分は、吸引のみでは十分に取ることが出来ない。そこで効率を高めるべく、温風を吹き出しながら水分を吸引するドライヤが考案されたが、これは温風タイプと吸引タイプの両方の欠点を有しており、実用には至っていない。
【０００８】
本発明は、このような従来のペット用ドライヤの問題点を解決した、ペットに温度や時間によるストレスを与えることなく、室内汚染もなく、短時間で被毛の脱水乾燥が可能なドライヤを実現することを目的とする。
【課題を解決するための手段】
【０００９】
本発明は、上記目的を達成するために、主表面が被毛と接触するパッドと、一部分に穴またはスリットもしくは網目構造が形成されたヘッド本体とを有し、この穴またはスリットもしくは網目構造が形成された部分にこのパッドの裏面が接しており、このヘッド本体の内側を負圧にするように構成したものである。
【００１０】
第２の課題解決手段は、上記目的を達成するためにヘッド本体の内側を負圧にする第１の機能と、ヘッド本体に正圧の空気を送る第２の機能と、第１の機能と第２の機能とを切り替える切り替え機能を備えるように構成したものである。
【００１１】
第３の課題解決手段は、ヘッド本体に正圧の空気を送る第２の機能に除湿器を接続して、ヘッドに乾燥空気が供給されるように構成したものである。
【００１２】
第４の課題解決手段は、ヘッド本体の一部または全部を可撓性物質で構成して、このヘッド本体の内側を負圧にするように構成したものである。
【００１３】
第５の課題解決手段は、ヘッド本体を複数の部分に分割して、このヘッド本体の内側を負圧にするように構成したものである。
【００１４】
第６の課題解決手段は、ヘッド本体に内側を負圧にした水分離部を接続したものである。
【００１５】
第７の課題解決手段は、この水分離部を負圧にする吸引装置を接続したものである。
【００１６】
第８の課題解決手段は、吸引装置に消音機能を取り付けたものである。
【００１７】
第９の課題解決手段は、水分離部に排水機能を設けたものである。
【００１８】
第１０の課題解決手段は、ヘッド本体を導電性物質で構成したものである。
【００１９】
第１１の課題解決手段は、ヘッド本体に手袋を取り付けたものである。
【００２０】
第１２の課題解決手段は、水分離部がトルネード型の水分離モジュールとフィルターモジュールを含むように構成したものである。
【００２１】
第１３の課題解決手段は、水分離部の吸引装置接続部に水分検出機能を設置したものである。
【００２２】
第１４の課題解決手段は、パッドを布または不織布で作成したものである。
【００２３】
上記第１の課題解決手段による作用は次のとおりである。すなわち、被毛に温風を吹き付けて被毛を乾燥させるのではなく、まず高い吸水性を持ったパッドの表面を被毛に接触させて、毛細管現象によってペットの被毛や皮膚に熱ストレスを全く掛けることなく被毛に含まれる水分を効率よく吸い取る。同時にパッドが吸い取った水分を、このパッドの裏面からヘッドの負圧によって吸い取る。すると、パッドの吸水能力が回復するので、また毛細管現象によって被毛に含まれる水分がパッドに吸い取られる。このような吸水プロセスが連続的に続くことで、効率良く被毛の水分を除くことができる。水分は負圧によってヘッド内部に吸い取られるので、水滴の飛散も全くない。抜けた被毛も、ほとんどパッド部に吸着されるので、簡単にまとめて捨てることが出来る。
【００２４】
第２の課題解決手段による作用では、第１の課題解決手段では被毛が完全に乾燥できない場合に、ヘッドを通して空気を送ることで被毛を完全に乾燥させることが出来る。付随した効果としてヘッド内やパッドが完全に乾燥するので、使用後の管理が楽になる。
【００２５】
また、第3の課題解決手段による作用は、上記第２の課題解決手段を低温高湿の環境で使用する場合でも、除湿器によって乾燥した空気を作ることで完全に被毛を乾燥できることである。
【００２６】
また、第４および第５の課題解決手段による作用は、ヘッド本体をペットの体のカーブに合わせて自由に変形させることで、パッド面と被毛との接触を良くして被毛の水分をより効率よく吸い取ることが出来る。
【００２７】
第６の課題解決手段のように水分離部を設けると、水分がない排気が得られるので、第７の課題解決手段のように吸引装置を接続したときに、耐水性のない吸引装置でも使用することが出来る。
【００２８】
第８の課題解決手段のように吸引装置に消音機能を取り付けると、モータ音などの騒音を嫌がるペットに対しても、安心して使用できる。犬の場合、可聴域の上限は６５ｋHzに達し、さらにその感度も、人間より１５ｄB程度すぐれていると言われている。したがって、人間ならばそれほど苦痛を感じないモータ音であっても、人間が地下鉄のホームで感じる走行音に匹敵する苦痛を受けているのである。モータ部分のカバーを2重にすること、モータの固定部にゴムブッシュのような内部損失の大きな弾性体を使用すること、排気ホースを長くしてさらに吸音材でカバーすることなど、公知の消音機能と組み合わせることで、１０から２０ｄBの騒音低減を図ることが出来る。特に３ｋHzから１２ｋHzの高音域、２０ｋHz以上の人間には聞こえない超音波域を十分に減衰させることが犬の苦痛を和らげるために重要であるが、これらの帯域は表面に凹凸のあるスポンジなどの使用で効果的な消音が可能である。
【００２９】
水分離部で分離された水は、通常内部に設けられたタンクに貯められて、時々捨てることになるが、第９の課題解決手段のように排水機能を設けるとタンクを外して水を捨てる作業が不要になる。
【００３０】
第１０の課題解決手段は、ヘッド本体を導電性物質で構成することで、帯電によって被毛にダメージを与えることを防止できる。
【００３１】
第１１の課題解決手段は、第４および第５の課題解決手段のヘッド本体に手袋を付けることによって、ちょうど人間がペットの被毛を撫でるような動作で被毛の脱水ができるので、ペットによりストレスを与えることなく被毛の水分をより効率よく吸い取ることが出来る。なお、大型犬のような大きなペットの場合は、指部分が分離されていないミトン形状が効率的である。
【００３２】
第１２の課題解決手段は、トルネード型の水分離モジュールとフィルターモジュールを用いて、低コストで高性能な水分離部を実現できる。
【００３３】
第１３の課題解決手段のように、水分離部の吸引装置接続部に水分検出機能を設置すると、吸引装置に一般家庭で使用されているドライタイプの真空掃除機を使用できる。
【００３４】
第１４の課題解決手段のように、パッドを布または不織布で構成することで、パッドのコストを大幅に低減することが出来る。
【発明の効果】
【００３５】
上述したように本発明では、ペットの被毛の水分を、熱ダメージを与えること無く静かに効果的に吸い取って、短時間でペットの被毛を乾燥させることが出来るペット用ドライヤを提供できる。ヘッド部に設けられたパッドが水分を吸い取り、このパッドに含まれた水分をヘッド本体の負圧で吸い出して集めるので、大きな風量は不要である。すなわち、このペット用ドライヤは、熱によって水分を蒸発させるのではなく、風によって水分を吹き飛ばすのでもない。パッドの毛細管現象と、圧力差による吸引を利用して脱水乾燥するものである。
被毛に付いた水分は、パッドが被毛に接触したときに、毛細管現象によってパッドに吸い取られる。パッドの水分は、この毛細管現象によってパッドの裏面へも移動するが、さらに吸引によって発生する負圧によって、ついにヘッド本体内へ吸い取られる。これらの動作が複合的かつ連続的に起こることによって、被毛の水分はヘッドに取り付けられたホースを介して吸引装置に吸い取られる。パッドは、裏面がヘッド本体で支えられており、ヘッド本体に設けられた多数の穴から水分が吸い取られることになるが、穴のない部分に接したパッドの水分もパッドの毛細管現象によってヘッド本体の穴に接した部分に移動してヘッド内へ吸い取られる。
【００３６】
また、水滴や抜け毛が周辺に飛び散らないので、周辺が汚れることもない。
【００３７】
水分を毛細管現象で吸い取るだけでは、被毛は完全に乾燥しないが、通常夏期などはすぐに自然乾燥するので問題ない。より短時間で乾燥したい場合や、低温高湿の環境下では、パッドを介して空気を送って乾燥させることも出来る。除湿器でさらに乾燥した空気を使用すると、より短時間で乾燥する。パッドを介して空気を送るので、ペットに強い風が当たることもなく、ペットにストレスをかけずに乾燥できる。
【図面の簡単な説明】
【００３８】
【図１】本発明の実施形態を示すペット用ドライヤの外観図
【図２】本発明の実施形態を示すペット用ドライヤの構成図
【図３】本発明の他の実施形態を示すペット用ドライヤの外観図
【図４】ヘッドおよびパッドの断面図
【図５】複数の部分に分割されたヘッドの外観図
【図６】水分離部の断面図
【図７】手袋が取り付けられているヘッドの外観図
【図８】従来のペット用ドライヤの断面図
【発明を実施するための形態】
【００３９】
以下、本発明の実施の形態を図１〜図７に基づいて説明する。
【００４０】
図１において、１１は濡れた被毛と接触するパッド、１２はヘッド本体、１３はヘッド本体と水分離部１４を介して吸引装置１５とを接続する接続ホース、１６は吸引装置１５に給電するための電源コードである。
【００４１】
図３は、他の実施形態のペット用ドライヤで、接続ホースに切り替え部３６が接続され、切り替え部の一方は水を吸引する部分へ、他方は除湿器３８、送風装置３７で構成される乾燥した空気の送出部へ接続される。
【００４２】
図４は、ヘッド部分の断面図で、パッド１１はヘッド本体１２のスリット部に接触している。
【００４３】
図５は、ヘッド本体５４の先端部分が分岐しており、それぞれに分割されたパッド５１〜５３が接触している。
【００４４】
図６は、トルネード型水分離ユニット６３を内蔵する水分離部１４の断面図で、吸入口６２から入った水と空気はこのトルネード型水分離ユニット６３の内部で分離され、空気は排出口６４から吸引装置１５（図示せず）へ吸い込まれ、水６５は水分離部１４の下部にたまる。
【００４５】
図７は、手袋７７が取り付けられた構造のヘッド例で、ヘッド本体７６は手の形に合わせて先端が分割され、各々にパッド７１〜７５が取り付けられている。この例では、ヘッド本体７６は可撓性材料で構成されるので、ペットを手で撫でるようにして被毛の水分を除去できる。
【００４６】
以下、上記構成の動作を説明する。毛細管現象により被毛からパッド１１に吸い取られた水は、さらに吸引装置によって発生する負圧でパッド１１の裏面からヘッド本体１２内へ吸い取られる。さらに接続ホース１３で水分離部１４へ送られ、ここで水が分離されて、空気は吸引装置１５を介して排気される。このサイクルが連続的に繰り返され、被毛は乾いたタオルで十分に拭き取ったような状態になる。トリミングが行われる場合では、この状態からトリミングが可能である。被毛を完全に乾燥させたい場合は、従来の低温ドライヤを短時間使用しても良いが、図３に示す実施形態のように送風装置３７を切り替え部３６で切り替えて、ヘッド本体に空気を送って乾燥させる。
【００４７】
ドライヤ使用時のペットのストレスの原因の一つは、その騒音である。本発明では、騒音の発生源である吸引装置１５および送風装置３７は、接続ホース１３でヘッド本体１２から離して置くことが出来るので、従来のドライヤと比べてペットが大きな騒音にさらされることが少ない。従来のドライヤの場合、空気の吹き出し口からも大きな風切音が発生するが、本発明ではヘッド本体１３にパッド１１が接しているので、このパッド１１が消音器として働く。さらに、吸引装置に消音機能を付加すると騒音はわずかである。
【符号の説明】
【００４８】
１１          パッド
１２          ヘッド本体
１３          接続ホース
１４          水分離部
１５          吸引装置
１６          電源コード
３６          切り替え部
３７          送風装置
３８          除湿器
５１〜５３  分割されたパッド
５４          ヘッド本体
６２          吸入口
６３          トルネード型水分離ユニット
６４          排出口
６５          水
７１〜７５  分割されたパッド
７６          ヘッド本体
７７          手袋
【図１】
2019088215.tif 000003
【図２】
2019088215.tif 000004
【図３】
2019088215.tif 000005
【図４】
2019088215.tif 000006
【図５】
2019088215.tif 000007
【図６】
2019088215.tif 000008
【図７】
2019088215.tif 000009
【図８】
2019088215.tif 000010